(57)【要約】      （修正有）【課題】  収納トレイ内の用紙を一枚ずつ取り出して搬送給紙する際の装置の信頼性が向上する紙送り装置及び駆動アクチュエータを提供する。【解決手段】  駆動アクチュエータ２０では、ピックアップローラが収納トレイ内の紙を引き出す際には（クラッチ機構の作動時には）、クラッチモータ５８によってセクタギヤ５０がコイルスプリング４８の他端４８Ｂから離間する位置へ回転移動され、コイルスプリング４８の緊縛力によってジョイント４０が駆動軸３６と連動状態とされる。さらに、ピックアップローラが１回転して（紙が１枚のみ取り出されて）ピックアップローラが停止する際には（クラッチ機構が遮断状態となる際には）、ジョイント４０のカム部４６がセクタギヤ５０の腕部５４を押圧し、セクタギヤ５０がコイルスプリング４８の他端４８Ｂと係合する位置（初期位置）へ移動される。これにより、ピックアップローラが１回転だけで停止する。【選択図】        図２
2006176311.tif 000002
【特許請求の範囲】
【請求項１】
収納トレイに収納された紙を前記収納トレイから引き出し前記引き出された紙を所定方向へ搬送する紙送り装置であって、
前記収納トレイに収納された前記紙に接触して当該紙を前記収納トレイから引き出すピックアップローラと、
前記ピックアップローラによって引き出された前記紙を所定方向へ搬送する搬送ローラと、
前記ピックアップローラ及び前記搬送ローラを回転させるための搬送モータと、
前記ピックアップローラと前記搬送モータとの間に設けられ、遮断状態では前記搬送モータの前記ピックアップローラへの駆動力の伝達を遮断し、接続状態では前記搬送モータの駆動力を前記ピックアップローラの１回転分だけ伝達する前記搬送モータまたはその他のモータを駆動源とするクラッチ機構と、
を備えたことを特徴とする紙送り装置。
【請求項２】
前記ピックアップローラに連結され当該ピックアップローラを回転させるピックアップローラ用出力軸としてのジョイントを備え、
前記クラッチ機構は、
前記搬送モータに連結され常に連動して回転されると共に、前記ジョイントと相対回転可能に設けられた駆動軸と、
コイル状に形成され、前記駆動軸に緊縛力が作用した状態で巻装されると共に一端が前記ジョイントに係止され、前記緊縛力によって前記ジョイントを前記駆動軸と連動状態とすると共に、他端が固定された状態では前記緊縛力を開放することで前記ジョイントを前記駆動軸と非連動状態とするコイルスプリングと、
前記コイルスプリングの他端に係合可能に設けられ、前記クラッチ機構の非作動時に前記コイルスプリングの他端に係合する位置へ移動されるセクタギヤと、
前記セクタギヤに連結され、前記クラッチ機構の作動時に前記セクタギヤを前記コイルスプリングの他端から離間する位置へ移動させるクラッチモータと、
を有する、
ことを特徴とする請求項１記載の紙送り装置。
【請求項３】
前記セクタギヤは前記ジョイント方向へ突出形成された腕部を有し、前記ジョイントは径方向外側へ突出形成されたカム部を有し、
前記クラッチ機構の作動により前記ピックアップローラが前記１回転する際に前記カム部が前記腕部を押圧することで前記セクタギヤを前記コイルスプリングの他端と係合する位置へ移動させる、
ことを特徴とする請求項２記載の紙送り装置。
【請求項４】
前記ピックアップローラに連結され当該ピックアップローラを回転させるピックアップローラ用出力軸としてのジョイントを備え、
前記クラッチ機構は、
前記搬送モータに連結されて常に連動して回転される中継ローラと、
前記ジョイントに連結され、周方向一部に非円弧状の平面部を有し、前記平面部以外の部位が前記中継ローラと接触することで前記中継ローラと連動状態となると共に、前記クラッチ機構の非作動時には前記平面部が前記中継ローラに対向して非接触となることで前記中継ローラと非連動状態となる半月ローラと、
前記半月ローラに連結され、前記クラッチ機構の作動時に前記半月ローラの前記平面部以外の部位が前記中継ローラに接触できる位置へ回転させるクラッチモータと、
を有する、
ことを特徴とする請求項１記載の紙送り装置。
【請求項５】
前記半月ローラの前記平面部が前記中継ローラに対向して非接触となる際に当該非接触状態を保持する保持部材を有する、
ことを特徴とする請求項４記載の紙送り装置。
【請求項６】
前記中継ローラを前記半月ローラの方向へ付勢する付勢部材を有する、ことを特徴とする請求項４または請求項５記載の紙送り装置。
【請求項７】
収納トレイに収納された紙をピックアップローラによって前記収納トレイから引き出し前記引き出された紙を搬送ローラによって所定方向へ搬送する紙送り装置用の駆動アクチュエータであって、
前記ピックアップローラに連結され当該ピックアップローラを回転させるピックアップローラ用出力軸としてのジョイントと、
前記搬送ローラに連結され当該搬送ローラを回転させる搬送ローラ用出力軸と、
前記ジョイント及び前記搬送ローラ用出力軸を回転させるための搬送モータと、
前記ジョイントと前記搬送モータとの間に設けられ、遮断状態では前記搬送モータの前記ジョイントへの駆動力の伝達を遮断し、接続状態では前記搬送モータの駆動力を前記ピックアップローラの１回転分だけ伝達するクラッチ機構と、
前記搬送モータ及び前記クラッチ機構を収容するハウジングケースと、
を備えたことを特徴とする駆動アクチュエータ。
【請求項８】
前記クラッチ機構は、
前記搬送モータに連結され常に連動して回転されると共に、前記ジョイントと相対回転可能に設けられた駆動軸と、
コイル状に形成され、前記駆動軸に緊縛力が作用した状態で巻装されると共に一端が前記ジョイントに係止され、前記緊縛力によって前記ジョイントを前記駆動軸と連動状態とすると共に、他端が固定された状態では前記緊縛力を開放することで前記ジョイントを前記駆動軸と非連動状態とするコイルスプリングと、
前記コイルスプリングの他端に係合可能に設けられ、前記クラッチ機構の非作動時に前記コイルスプリングの他端に係合する位置へ移動されるセクタギヤと、
前記セクタギヤに連結され、前記クラッチ機構の作動時に前記セクタギヤを前記コイルスプリングの他端から離間する位置へ移動させるクラッチモータと、
を有する、
ことを特徴とする請求項７記載の駆動アクチュエータ。
【請求項９】
前記セクタギヤは前記ジョイント方向へ突出形成された腕部を有し、前記ジョイントは径方向外側へ突出形成されたカム部を有し、
前記クラッチ機構の作動により前記ピックアップローラが前記１回転する際に前記カム部が前記腕部を押圧することで前記セクタギヤを前記コイルスプリングの他端と係合する位置へ移動させる、
ことを特徴とする請求項８記載の駆動アクチュエータ。
【請求項１０】
前記クラッチ機構は、
前記搬送モータに連結されて常に連動して回転される中継ローラと、
前記ジョイントに連結され、周方向一部に非円弧状の平面部を有し、前記平面部以外の部位が前記中継ローラと接触することで前記中継ローラと連動状態となると共に、前記クラッチ機構の非作動時には前記平面部が前記中継ローラに対向して非接触となることで前記中継ローラと非連動状態となる半月ローラと、
前記半月ローラに連結され、前記クラッチ機構の作動時に前記半月ローラの前記平面部以外の部位が前記中継ローラに接触できる位置へ回転させるクラッチモータと、
を有する、
ことを特徴とする請求項７記載の駆動アクチュエータ。
【請求項１１】
前記半月ローラの前記平面部が前記中継ローラに対向して非接触となる際に、当該非接触状態を保持する保持部材を有する、
ことを特徴とする請求項１０記載の駆動アクチュエータ。
【請求項１２】
前記中継ローラを前記半月ローラの方向へ付勢する付勢部材を有する、ことを特徴とする請求項１０または請求項１１記載の駆動アクチュエータ。
【発明の詳細な説明】
【技術分野】
【０００１】
本発明は、例えば複写機等の画像処理装置における紙を収納した収納トレイから紙を引き出して搬送する紙送り装置及びこの紙送り装置に適用される駆動アクチュエータに関する。
【背景技術】
【０００２】
例えば複写機等の画像処理装置においては、紙（用紙）を収納した収納トレイから紙を引き出して搬送する紙送り装置を備えている。この種の紙送り装置では、給紙トレイ内に収容された用紙を一枚ずつ給紙するピックアップローラと、このピックアップローラを駆動するための駆動アクチュエータを備えた構成となっており、駆動アクチュエータのモータが作動することで、ピックアップローラが１回転して収納トレイ内の用紙が一枚づつ所定の処理系に搬送給紙される。
【０００３】
ここで、前述の如く紙を収納トレイから１枚ずつ取り出すために（ピックアップするために）ピックアップローラを１回転だけさせるピックアップローラ駆動機構が提案されている（特許文献１または特許文献２参照）。
【０００４】
前記提案された駆動機構によれば、スプリング式のクラッチ及びソレノイドを用いた構成となっている。すなわち、ピックアップローラに連結された出力側シャフトにはスプリングが設けられており、このスプリングの締付力で駆動力を伝達する。またしかも、ピックアップローラが給紙のために１回転する際には、ソレノイドの作動により阻止部材（回転レバー）が移動されてスプリングの一端部が係止固定状態とされ、その後の回転によってスプリングコイル部分の径が拡大されてスプリングの締付け力が開放され、出力側シャフトとの間にスリップ（相対回転）が生じて、ピックアップローラが１回転だけで停止する構成となっている。
【０００５】
しかしながら、前記提案された駆動機構においては、給紙の際にピックアップローラを１回転だけさせるために不可欠なソレノイドは、小型のものを適用するとそのパワーが小さいことに起因してスプリング式クラッチの解除時に引っ掛かり易く、信頼性に欠ける欠点があった。一方、これを解消し信頼性を向上させるために大型でハイパワーなものを適用したのでは、極め高価なものになってしまう。
【０００６】
また、ソレノイドの作動によりスプリングの一端部を係止固定または解除するための阻止部材（回転レバー）は、１回転した後には初期位置に復帰しなければならないが、当該初期位置への復帰動作を別の単なるリターンスプリングによって行う構成となっているため、すなわち、前記復帰動作をリターンスプリングの付勢力に全て依存する構成であるため、同様に信頼性に欠ける欠点もあった。
【特許文献１】特開平８−４７８２号公報
【特許文献２】特開２００２−２４０９７０号公報
【発明の開示】
【発明が解決しようとする課題】
【０００７】
本発明は上記事実を考慮し、収納トレイ内の用紙を一枚ずつ取り出して搬送給紙する際の装置の信頼性が向上する紙送り装置及び駆動アクチュエータを提供することを目的とする。
【課題を解決するための手段】
【０００８】
請求項１に係る発明の紙送り装置は、収納トレイに収納された紙を前記収納トレイから引き出し前記引き出された紙を所定方向へ搬送する紙送り装置であって、前記収納トレイに収納された前記紙に接触して当該紙を前記収納トレイから引き出すピックアップローラと、前記ピックアップローラによって引き出された前記紙を所定方向へ搬送する搬送ローラと、前記ピックアップローラ及び前記搬送ローラを回転させるための搬送モータと、前記ピックアップローラと前記搬送モータとの間に設けられ、遮断状態では前記搬送モータの前記ピックアップローラへの駆動力の伝達を遮断し、接続状態では前記搬送モータの駆動力を前記ピックアップローラの１回転分だけ伝達する前記搬送モータまたはその他のモータを駆動源とするクラッチ機構と、を備えたことを特徴としている。
【０００９】
請求項１記載の紙送り装置では、ピックアップローラと搬送ローラを備えており、ピックアップローラ及び搬送ローラは搬送モータによって回転され、このピックアップローラが収納トレイに収納された紙に接触して当該紙を収納トレイから引き出し、ピックアップローラによって引き出された紙は搬送ローラによって所定方向へ搬送される。
【００１０】
ここで、ピックアップローラが収納トレイ内の紙を引き出す際には、ピックアップローラと搬送モータとの間に設けられたクラッチ機構が作動する。すなわち、このクラッチ機構が作動することで、搬送モータの駆動力はピックアップローラの１回転分だけ伝達され、ピックアップローラが紙を１枚のみ取り出す。またしかも、その後には（紙が搬送ローラによって搬送される際には）、クラッチ機構が遮断状態となり、搬送モータのピックアップローラへの駆動力の伝達が遮断され、ピックアップローラが不要に紙を取り出すことがなくしかも搬送ローラによる紙の搬送が阻害されることもない。
【００１１】
請求項２に係る発明の紙送り装置は、請求項１記載の紙送り装置において、前記ピックアップローラに連結され当該ピックアップローラを回転させるピックアップローラ用出力軸としてのジョイントを備え、前記クラッチ機構は、前記搬送モータに連結され常に連動して回転されると共に、前記ジョイントと相対回転可能に設けられた駆動軸と、コイル状に形成され、前記駆動軸に緊縛力が作用した状態で巻装されると共に一端が前記ジョイントに係止され、前記緊縛力によって前記ジョイントを前記駆動軸と連動状態とすると共に、他端が固定された状態では前記緊縛力を開放することで前記ジョイントを前記駆動軸と非連動状態とするコイルスプリングと、前記コイルスプリングの他端に係合可能に設けられ、前記クラッチ機構の非作動時に前記コイルスプリングの他端に係合する位置へ移動されるセクタギヤと、前記セクタギヤに連結され、前記クラッチ機構の作動時に前記セクタギヤを前記コイルスプリングの他端から離間する位置へ移動させるクラッチモータと、を有する、ことを特徴としている。
【００１２】
請求項２記載の紙送り装置では、ピックアップローラが収納トレイ内の紙を引き出す際には（すなわち、クラッチ機構が作動する際には）、ジョイントを介してピックアップローラが回転される。すなわち、クラッチ機構の作動時には、クラッチモータによってセクタギヤがコイルスプリングの他端から離間する位置へ移動され、コイルスプリングの緊縛力によってジョイントが駆動軸と連動状態とされる。このため、駆動軸が搬送モータによって回転されると、コイルスプリングの緊縛力によってこの駆動軸と連動してジョイントが回転され、これにより、ピックアップローラが回転して紙を収納トレイから引き出す。
【００１３】
さらに、ピックアップローラが１回転すると（紙が１枚のみ取り出されると）、クラッチ機構が遮断状態となり、ピックアップローラが停止される。すなわち、ジョイントが１回転することでセクタギヤがコイルスプリングの他端に係合する位置へ移動される。これにより、コイルスプリングの他端が固定された状態となり、その後はコイルスプリングの緊縛力が開放されてジョイントが駆動軸と非連動状態となる。すなわち、コイルスプリングの他端が固定されることにより、その後の駆動軸の回転によってコイルスプリングのコイル部分の径が拡大されて駆動軸との間にスリップ（相対回転）が生じ、駆動軸からジョイント（すなわち、ピックアップローラ）への駆動力の伝達が遮断される。これにより、ピックアップローラが１回転だけで停止する。
【００１４】
このように、クラッチ機構の作動時にセクタギヤを移動させてジョイントを駆動軸と連動状態とするためにクラッチモータを適用した構成であるため、確実に前記クラッチ機構接続状態（セクタギヤがコイルスプリングの他端から離間する位置へ移動した状態）とすることができ、信頼性が向上する。
【００１５】
請求項３に係る発明の紙送り装置は、請求項２記載の紙送り装置において、前記セクタギヤは前記ジョイント方向へ突出形成された腕部を有し、前記ジョイントは径方向外側へ突出形成されたカム部を有し、前記クラッチ機構の作動により前記ピックアップローラが前記１回転する際に前記カム部が前記腕部を押圧することで前記セクタギヤを前記コイルスプリングの他端と係合する位置へ移動させる、ことを特徴としている。
【００１６】
請求項３記載の紙送り装置では、ピックアップローラが１回転して（紙が１枚のみ取り出されて）ピックアップローラが停止する際には（クラッチ機構が遮断状態となる際には）、ジョイントのカム部がセクタギヤの腕部を押圧して、セクタギヤがコイルスプリングの他端と係合する位置（初期位置）へ移動される。これにより、コイルスプリングの他端が固定された状態となり、その後はコイルスプリングの緊縛力が開放されてジョイントが駆動軸と非連動状態となる。
【００１７】
このように、クラッチ機構が遮断状態となる際に、ジョイントのカム部によってセクタギヤをコイルスプリングの他端と係合する位置（初期位置）へ移動させる構成であるため、確実に前記クラッチ機構遮断状態（セクタギヤがコイルスプリングの他端と係合する位置へ移動した状態）とすることができ、信頼性が向上する。
【００１８】
請求項４に係る発明の紙送り装置は、請求項１記載の紙送り装置において、前記ピックアップローラに連結され当該ピックアップローラを回転させるピックアップローラ用出力軸としてのジョイントを備え、前記クラッチ機構は、前記搬送モータに連結されて常に連動して回転される中継ローラと、前記ジョイントに連結され、周方向一部に非円弧状の平面部を有し、前記平面部以外の部位が前記中継ローラと接触することで前記中継ローラと連動状態となると共に、前記クラッチ機構の非作動時には前記平面部が前記中継ローラに対向して非接触となることで前記中継ローラと非連動状態となる半月ローラと、前記半月ローラに連結され、前記クラッチ機構の作動時に前記半月ローラの前記平面部以外の部位が前記中継ローラに接触できる位置へ回転させるクラッチモータと、を有する、ことを特徴としている。
【００１９】
請求項４記載の紙送り装置では、ピックアップローラが収納トレイ内の紙を引き出す際には（すなわち、クラッチ機構が作動する際には）、ジョイントを介してピックアップローラが回転される。すなわち、クラッチ機構の作動時には、クラッチモータによって、半月ローラの平面部以外の部位が中継ローラに接触できる位置へ回転される。このため、中継ローラが搬送モータによって回転されると、この中継ローラと連動して半月ローラがジョイントと共に回転され、これにより、ピックアップローラが回転して紙を収納トレイから引き出す。
【００２０】
さらに、ピックアップローラが１回転すると（紙が１枚のみ取り出されると）、クラッチ機構が遮断状態となり、ピックアップローラが停止される。すなわち、半月ローラの平面部が中継ローラに対向して非接触状態となり、半月ローラが中継ローラと非連動状態となる。すなわち、中継ローラから半月ローラ（ジョイント）すなわちピックアップローラへの駆動力の伝達が遮断される。これにより、ピックアップローラが１回転だけで停止する。
【００２１】
このように、クラッチ機構の作動時に半月ローラを回転させるためにクラッチモータを適用した構成であるため、確実に前記クラッチ機構接続状態（半月ローラの平面部以外の部位が中継ローラに接触できる位置へ回転させた状態）とすることができ、信頼性が向上する。
【００２２】
また、クラッチ機構の遮断状態（半月ローラの平面部が中継ローラに対向する非接触状態）は、半月ローラの平面部によって行われる構成であるため、確実に前記クラッチ機構遮断状態（すなわち、初期位置復帰状態）とすることができ、信頼性が向上する。さらに、そのタイミングの設定も、半月ローラの平面部の形成範囲等の設定によって容易に行うことができる。
【００２３】
請求項５に係る発明の紙送り装置は、請求項４記載の紙送り装置において、前記半月ローラの前記平面部が前記中継ローラに対向して非接触となる際に当該非接触状態を保持する保持部材を有する、ことを特徴としている。
【００２４】
請求項５記載の紙送り装置では、半月ローラの平面部が中継ローラに対向して非接触状態となる際には、当該非接触状態が保持部材によって保持されるため、半月ローラの不要な回転（所謂、オーバーラン）が防止される。
【００２５】
請求項６に係る発明の紙送り装置は、請求項４または請求項５記載の紙送り装置において、前記中継ローラを前記半月ローラの方向へ付勢する付勢部材を有する、ことを特徴としている。
【００２６】
請求項６記載の紙送り装置では、中継ローラは付勢部材によって半月ローラの方向へ付勢されているため、中継ローラは半月ローラに加圧されて接触しており、中継ローラと半月ローラ同士の摩擦力が増大し、安定して駆動力を伝達することができる。また、仮に各ローラが摩耗した場合であっても、中継ローラと半月ローラ同士が接触できなくなる事態を防止することができる。
【００２７】
請求項７に係る発明の駆動アクチュエータは、収納トレイに収納された紙をピックアップローラによって前記収納トレイから引き出し前記引き出された紙を搬送ローラによって所定方向へ搬送する紙送り装置用の駆動アクチュエータであって、前記ピックアップローラに連結され当該ピックアップローラを回転させるピックアップローラ用出力軸としてのジョイントと、前記搬送ローラに連結され当該搬送ローラを回転させる搬送ローラ用出力軸と、前記ジョイント及び前記搬送ローラ用出力軸を回転させるための搬送モータと、前記ジョイントと前記搬送モータとの間に設けられ、遮断状態では前記搬送モータの前記ジョイントへの駆動力の伝達を遮断し、接続状態では前記搬送モータの駆動力を前記ピックアップローラの１回転分だけ伝達するクラッチ機構と、前記搬送モータ及び前記クラッチ機構を収容するハウジングケースと、を備えたことを特徴としている。
【００２８】
請求項７記載の駆動アクチュエータは、紙送り装置のピックアップローラと搬送ローラを駆動させるためのものであり、ピックアップローラに連結されこのピックアップローラを回転させるピックアップローラ用出力軸としてのジョイントと、搬送ローラに連結されこの搬送ローラを回転させる搬送ローラ用出力軸とを備えている。ジョイント及び搬送ローラ用出力軸は搬送モータによって回転され、これによって、ピックアップローラが収納トレイに収納された紙に接触して当該紙を収納トレイから引き出し、ピックアップローラによって引き出された紙は搬送ローラによって所定方向へ搬送される。
【００２９】
ここで、ピックアップローラが収納トレイ内の紙を引き出す際には、ジョイントと搬送モータとの間に設けられたクラッチ機構が作動する。すなわち、このクラッチ機構が作動することで、搬送モータの駆動力はジョイントにピックアップローラの１回転分だけ伝達され、ピックアップローラが紙を１枚のみ取り出す。またしかも、その後には（紙が搬送ローラによって搬送される際には）、クラッチ機構が遮断状態となり、搬送モータのジョイント（ピックアップローラ）への駆動力の伝達が遮断され、ピックアップローラが不要に紙を取り出すことがなくしかも搬送ローラによる紙の搬送が阻害されることもない。
【００３０】
請求項８に係る発明の駆動アクチュエータは、請求項７記載の駆動アクチュエータにおいて、前記クラッチ機構は、前記搬送モータに連結され常に連動して回転されると共に、前記ジョイントと相対回転可能に設けられた駆動軸と、コイル状に形成され、前記駆動軸に緊縛力が作用した状態で巻装されると共に一端が前記ジョイントに係止され、前記緊縛力によって前記ジョイントを前記駆動軸と連動状態とすると共に、他端が固定された状態では前記緊縛力を開放することで前記ジョイントを前記駆動軸と非連動状態とするコイルスプリングと、前記コイルスプリングの他端に係合可能に設けられ、前記クラッチ機構の非作動時に前記コイルスプリングの他端に係合する位置へ移動されるセクタギヤと、前記セクタギヤに連結され、前記クラッチ機構の作動時に前記セクタギヤを前記コイルスプリングの他端から離間する位置へ移動させるクラッチモータと、を有する、ことを特徴としている。
【００３１】
請求項８記載の駆動アクチュエータでは、ピックアップローラが収納トレイ内の紙を引き出す際には（すなわち、クラッチ機構が作動する際には）、ジョイントを介してピックアップローラが回転される。すなわち、クラッチ機構の作動時には、クラッチモータによってセクタギヤがコイルスプリングの他端から離間する位置へ移動され、コイルスプリングの緊縛力によってジョイントが駆動軸と連動状態とされる。このため、駆動軸が搬送モータによって回転されると、コイルスプリングの緊縛力によってこの駆動軸と連動してジョイントが回転され、これにより、ピックアップローラが回転して紙を収納トレイから引き出す。
【００３２】
さらに、ピックアップローラが１回転すると（紙が１枚のみ取り出されると）、クラッチ機構が遮断状態となり、ピックアップローラが停止される。すなわち、ジョイントが１回転することでセクタギヤがコイルスプリングの他端に係合する位置へ移動される。これにより、コイルスプリングの他端が固定された状態となり、その後はコイルスプリングの緊縛力が開放されてジョイントが駆動軸と非連動状態となる。すなわち、コイルスプリングの他端が固定されることにより、その後の駆動軸の回転によってコイルスプリングのコイル部分の径が拡大されて駆動軸との間にスリップ（相対回転）が生じ、駆動軸からジョイント（すなわち、ピックアップローラ）への駆動力の伝達が遮断される。これにより、ピックアップローラが１回転だけで停止する。
【００３３】
このように、クラッチ機構の作動時にセクタギヤを移動させてジョイントを駆動軸と連動状態とするためにクラッチモータを適用した構成であるため、確実に前記クラッチ機構接続状態（セクタギヤがコイルスプリングの他端から離間する位置へ移動した状態）とすることができ、信頼性が向上する。
【００３４】
請求項９に係る発明の駆動アクチュエータは、請求項８記載の駆動アクチュエータにおいて、前記セクタギヤは前記ジョイント方向へ突出形成された腕部を有し、前記ジョイントは径方向外側へ突出形成されたカム部を有し、前記クラッチ機構の作動により前記ピックアップローラが前記１回転する際に前記カム部が前記腕部を押圧することで前記セクタギヤを前記コイルスプリングの他端と係合する位置へ移動させる、ことを特徴としている。
【００３５】
請求項９記載の駆動アクチュエータでは、ピックアップローラが１回転して（紙が１枚のみ取り出されて）ピックアップローラが停止する際には（クラッチ機構が遮断状態となる際には）、ジョイントのカム部がセクタギヤの腕部を押圧して、セクタギヤがコイルスプリングの他端と係合する位置（初期位置）へ移動される。これにより、コイルスプリングの他端が固定された状態となり、その後はコイルスプリングの緊縛力が開放されてジョイントが駆動軸と非連動状態となる。
【００３６】
このように、クラッチ機構が遮断状態となる際に、ジョイントのカム部によってセクタギヤをコイルスプリングの他端と係合する位置（初期位置）へ移動させる構成であるため、確実に前記クラッチ機構遮断状態（セクタギヤがコイルスプリングの他端と係合する位置へ移動した状態）とすることができ、信頼性が向上する。
【００３７】
請求項１０に係る発明の駆動アクチュエータは、請求項７記載の駆動アクチュエータにおいて、前記クラッチ機構は、前記搬送モータに連結されて常に連動して回転される中継ローラと、前記ジョイントに連結され、周方向一部に非円弧状の平面部を有し、前記平面部以外の部位が前記中継ローラと接触することで前記中継ローラと連動状態となると共に、前記クラッチ機構の非作動時には前記平面部が前記中継ローラに対向して非接触となることで前記中継ローラと非連動状態となる半月ローラと、前記半月ローラに連結され、前記クラッチ機構の作動時に前記半月ローラの前記平面部以外の部位が前記中継ローラに接触できる位置へ回転させるクラッチモータと、を有する、ことを特徴としている。
【００３８】
請求項１０記載の駆動アクチュエータでは、ピックアップローラが収納トレイ内の紙を引き出す際には（すなわち、クラッチ機構が作動する際には）、ジョイントを介してピックアップローラが回転される。すなわち、クラッチ機構の作動時には、クラッチモータによって、半月ローラの平面部以外の部位が中継ローラに接触できる位置へ回転される。このため、中継ローラが搬送モータによって回転されると、この中継ローラと連動して半月ローラがジョイントと共に回転され、これにより、ピックアップローラが回転して紙を収納トレイから引き出す。
【００３９】
さらに、ピックアップローラが１回転すると（紙が１枚のみ取り出されると）、クラッチ機構が遮断状態となり、ピックアップローラが停止される。すなわち、半月ローラの平面部が中継ローラに対向して非接触状態となり、半月ローラが中継ローラと非連動状態となる。すなわち、中継ローラから半月ローラ（ジョイント）すなわちピックアップローラへの駆動力の伝達が遮断される。これにより、ピックアップローラが１回転だけで停止する。
【００４０】
このように、クラッチ機構の作動時に半月ローラを回転させるためにクラッチモータを適用した構成であるため、確実に前記クラッチ機構接続状態（半月ローラの平面部以外の部位が中継ローラに接触できる位置へ回転させた状態）とすることができ、信頼性が向上する。
【００４１】
また、クラッチ機構の遮断状態（半月ローラの平面部が中継ローラに対向する非接触状態）は、半月ローラの平面部によって行われる構成であるため、確実に前記クラッチ機構遮断状態（すなわち、初期位置復帰状態）とすることができ、信頼性が向上する。さらに、そのタイミングの設定も、半月ローラの平面部の形成範囲等の設定によって容易に行うことができる。
【００４２】
請求項１１に係る発明の駆動アクチュエータは、請求項１０記載の駆動アクチュエータにおいて、前記半月ローラの前記平面部が前記中継ローラに対向して非接触となる際に、当該非接触状態を保持する保持部材を有する、ことを特徴としている。
【００４３】
請求項１１記載の駆動アクチュエータでは、半月ローラの平面部が中継ローラに対向して非接触状態となる際には、当該非接触状態が保持部材によって保持されるため、半月ローラの不要な回転（所謂、オーバーラン）が防止される。
【００４４】
請求項１２に係る発明の駆動アクチュエータは、請求項１０または請求項１１記載の駆動アクチュエータにおいて、前記中継ローラを前記半月ローラの方向へ付勢する付勢部材を有する、ことを特徴としている。
【００４５】
請求項１２記載の駆動アクチュエータでは、中継ローラは付勢部材によって半月ローラの方向へ付勢されているため、中継ローラは半月ローラに加圧されて接触しており、中継ローラと半月ローラ同士の摩擦力が増大し、安定して駆動力を伝達することができる。また、仮に各ローラが摩耗した場合であっても、中継ローラと半月ローラ同士が接触できなくなる事態を防止することができる。
【発明を実施するための最良の形態】
【００４６】
図１には、本発明の第１の実施の形態に係る駆動アクチュエータ２０の構成が概略的な平面図にて示されている。また、図２（Ａ）乃至図２（Ｅ）には、この駆動アクチュエータ２０の主要部分の構成が概略的な正面図にて示されている。さらに、図３には、駆動アクチュエータ２０の全体構成が正面図にて示されており、図４には駆動アクチュエータ２０の全体構成が断面図にて示されている。
【００４７】
なお、以下においては、クラッチ機構の「遮断状態（駆動力非伝達状態）」を「非作動状態」といい、「接続状態（駆動力伝達状態）」を「作動状態」という。
【００４８】
駆動アクチュエータ２０は、紙送り装置１０に適用される。紙送り装置１０は、ピックアップローラ１２と搬送ローラ１４を備えており、ピックアップローラ１２は、収納トレイ（図示省略）に収納された紙に接触してこの紙を収納トレイから引き出し、さらに、搬送ローラ１４は、引き出された紙を所定方向へ搬送する。駆動アクチュエータ２０は、このピックアップローラ１２と搬送ローラ１４を駆動させるためのものである。
【００４９】
駆動アクチュエータ２０は、搬送モータ２２を備えている。この搬送モータ２２の回転軸に設けられたプーリー２４は、ベルト２６を介してプーリー２８に連結されている。プーリー２８には、搬送ローラ用出力軸としてのギヤ３０が同軸でかつ一体に設けられている。ギヤ３０のギヤ部３０Ａは、搬送ローラ１４の回転軸３２に設けられたギヤ３４に噛合っている。このため、搬送モータ２２が駆動することで、搬送ローラ１４が常に連動して回転される構成である。
【００５０】
一方、ギヤ３０のギヤ部３０Ｂには、クラッチ機構を構成する駆動軸３６に設けられたギヤ３８が噛合っており、このため、搬送モータ２２が駆動することで駆動軸３６も常に連動して回転する。
【００５１】
駆動軸３６の先端には、ピックアップローラ用出力軸としてのジョイント４０が同軸でかつ相対回転可能に設けられている。ジョイント４０は、その先端が二股状に形成されて所謂カップリング継手を成しており、ピックアップローラ１２の回転軸４２に設けられたピン４４が入り込んでいる。このため、ジョイント４０が回転することでピックアップローラ１２を回転させることができる構成である。
【００５２】
ジョイント４０の外周一部には、径方向外側へ突出するカム部４６が形成されており、後述するセクタギヤ５０に対応している。
【００５３】
また、駆動軸３６の周囲には、クラッチ機構を構成するコイルスプリング４８が巻装されている。コイルスプリング４８は、コイル状の本体部分が駆動軸３６に緊縛力が作用した状態で巻装されると共に、一端４８Ａが前記ジョイント４０に係止されている。このため、コイルスプリング４８はその緊縛力によってジョイント４０を駆動軸３６と連動状態としている。一方、コイルスプリング４８の他端４８Ｂは、後述するセクタギヤ５０に対応しており、当該他端４８Ｂがセクタギヤ５０によって固定（移動阻止）された状態では、コイルスプリング４８は前記緊縛力を開放することで（その後の駆動軸３６の回転によってコイル部分の径が拡大されて駆動軸３６との間にスリップ（相対回転）が生じて）、ジョイント４０を駆動軸３６と非連動状態とするようになっている。
【００５４】
図２（Ａ）乃至図２（Ｅ）に詳細に示す如く、駆動軸３６及びコイルスプリング４８の側方には、クラッチ機構を構成するセクタギヤ５０が支軸５２によって回転可能に支持されている。このセクタギヤ５０は、コイルスプリング４８の他端４８Ｂに係合可能となっており、クラッチ機構の非作動時にはコイルスプリング４８の他端４８Ｂに係合する位置へ回転移動される。この状態では、前述した如くコイルスプリング４８の他端４８Ｂを固定状態とすることができ、これによりコイルスプリング４８の緊縛力を開放することができる構成である。
【００５５】
また、セクタギヤ５０には、ジョイント４０方向へ突出する腕部５４が形成されており、ジョイント４０のカム部４６に対応している。これにより、クラッチ機構の作動によりジョイント４０（ピックアップローラ１２）が１回転する際にカム部４６が腕部５４を押圧することでセクタギヤ５０が前記コイルスプリング４８の他端と係合する位置（初期位置）へ再び回転移動されるようになっている。さらに、この腕部５４に対応して装置ハウジングにはストッパ５６が設けられており、前述の如くカム部４６が腕部５４を押圧してセクタギヤ５０が回転移動される際の移動範囲を制限している。
【００５６】
セクタギヤ５０には、クラッチ機構を構成するクラッチモータ５８が連結されている。すなわち、クラッチモータ５８の回転軸に設けられたギヤ６０がセクタギヤ５０に噛合っており、このクラッチモータ５８の作動によって、クラッチ機構の作動時にセクタギヤ５０を前記コイルスプリング４８の他端４８Ｂから離間する位置へ回転移動させることができる構成である。
【００５７】
以上の構成の駆動アクチュエータ２０の各部品（搬送モータ２２、クラッチ機構、及びクラッチモータ５８等）は、ハウジングケース６２内に収容されている。
【００５８】
次に、本第１の実施の形態の作用を説明する。
【００５９】
上記構成の駆動アクチュエータ２０（紙送り装置１０）では、搬送モータ２２によってピックアップローラ１２及び搬送ローラ１４が回転され、これによって、ピックアップローラ１２が収納トレイに収納された紙に接触して当該紙を収納トレイから引き出し、ピックアップローラ１２によって引き出された紙は搬送ローラ１４によって所定方向へ搬送される。
【００６０】
ここで、ピックアップローラ１２が収納トレイ内の紙を引き出す際には、ジョイント４０と搬送モータ２２との間に設けられたクラッチ機構が作動し、ジョイント４０を介してピックアップローラ１２が回転される。すなわち、クラッチ機構の作動時には、図２（Ｃ）に示す如く、クラッチモータ５８によってセクタギヤ５０がコイルスプリング４８の他端４８Ｂから離間する位置へ回転移動され、コイルスプリング４８の緊縛力によってジョイント４０が駆動軸３６と連動状態とされる。このため、駆動軸３６が搬送モータ２２によって回転されると、図２（Ｄ）に示す如く、コイルスプリング４８の緊縛力によってこの駆動軸３６と連動してジョイント４０が回転され、これにより、ピックアップローラ１２が回転して紙を収納トレイから引き出す。
【００６１】
さらに、ピックアップローラ１２が１回転すると（紙が１枚のみ取り出されると）、クラッチ機構が遮断状態となり、ピックアップローラ１２が停止される。
【００６２】
すなわち、ピックアップローラ１２が１回転して（紙が１枚のみ取り出されて）ピックアップローラ１２が停止する際には（クラッチ機構が遮断状態となる際には）、図２（Ｅ）に示す如く、ジョイント４０のカム部４６がセクタギヤ５０の腕部５４を押圧し、セクタギヤ５０がコイルスプリング４８の他端４８Ｂと係合する位置（初期位置）へ移動される（図２（Ａ）図示状態）。これにより、コイルスプリング４８の他端４８Ｂが固定された状態となり、その後はコイルスプリング４８の緊縛力が開放されてジョイント４０が駆動軸３６と非連動状態となる。すなわち、図２（Ｂ）に示す如く、コイルスプリング４８の他端４８Ｂが固定されることにより、その後の駆動軸３６の回転によってコイルスプリング４８のコイル部分の径が拡大されて駆動軸３６との間にスリップ（相対回転）が生じ、駆動軸３６からジョイント４０（すなわち、ピックアップローラ１２）への駆動力の伝達が遮断される。これにより、ピックアップローラ１２が１回転だけで停止する。
【００６３】
またしかも、その後には（紙が搬送ローラ１４によって搬送される際には）、クラッチ機構は遮断状態のままであり、搬送モータ２２のジョイント４０（ピックアップローラ１２）への駆動力の伝達が遮断されてピックアップローラ１２が不要に紙を取り出すことがなく、しかも搬送ローラ１４による紙の搬送が阻害されることもない。
【００６４】
このように、クラッチ機構の作動時にセクタギヤ５０を移動させてジョイント４０を駆動軸３６と連動状態とするためにクラッチモータ５８を適用した構成であるため、確実に前記クラッチ機構接続状態（セクタギヤ５０がコイルスプリング４８の他端４８Ｂから離間する位置へ移動した状態）とすることができ、信頼性が向上する。
【００６５】
またさらに、クラッチ機構が遮断状態となる際には、ジョイント４０のカム部４６によってセクタギヤ５０をコイルスプリング４８の他端４８Ｂと係合する位置（初期位置）へ移動させる構成であるため、確実に前記クラッチ機構遮断状態（セクタギヤ５０がコイルスプリング４８の他端４８Ｂと係合する位置へ移動した状態）とすることができ、これによっても信頼性が向上する。
【００６６】
次ぎに、本発明に第２の実施の形態を説明する。
【００６７】
なお、前記第１の実施の形態と基本的に同一の部品には、前記第１の実施の形態と同一の符号を付与しその説明を省略する。
【００６８】
図５には、本発明の第２の実施の形態に係る駆動アクチュエータ７０の構成が概略的な平面図にて示されている。また、図６（Ａ）乃至図６（Ｄ）には、この駆動アクチュエータ７０の主要部分の構成が概略的な正面図にて示されている。さらに、図７には、駆動アクチュエータ７０の全体構成が正面図にて示されており、図８には駆動アクチュエータ７０の全体構成が断面図にて示されている。
【００６９】
駆動アクチュエータ７０も、前記第１の実施の形態と同様に紙送り装置１０に適用され、搬送ローラ用出力軸としてのギヤ７２を有している。このギヤ７２が搬送モータ２２によって回転されることで、搬送ローラ１４が常に連動して回転される構成である。
【００７０】
ギヤ７２には、中間ギヤ７４のギヤ部７４Ａが噛合っており、さらに、中間ギヤ７４のギヤ部７４Ｂには、ギヤ７６が噛合っている。このギヤ７６には、クラッチ機構を構成するゴム製の中継ローラ７８が一体に設けられている。このため、搬送モータ２２が駆動することで中継ローラ７８も常に連動して回転する。
【００７１】
ここで、図７に示す如く、ギヤ７６及び中継ローラ７８は、支持アーム７９によって支持されている。支持アーム７９は、支軸８１によって中間ギヤ７４と同軸的に支持されており、さらに、付勢部材としてのスプリング８３によって後述する半月ローラ８０の方向へ常に付勢されている。なお、この支持アーム７９の前記付勢方向への移動は、ストッパ８５によって所定範囲で制限されている。
【００７２】
中継ローラ７８の側方には、ゴム製の半月ローラ８０が設けられている。この半月ローラ８０は、周方向一部に非円弧状の平面部８２が形成されており、前述した第１の実施の形態と同様のジョイント４０に一体に連結されている。このため、半月ローラ８０が回転することでジョイント４０を回転させることができる構成である。さらに、この半月ローラ８０は、平面部８２以外の部位が中継ローラ７８と接触することでこの中継ローラ７８と連動状態となり、しかも、平面部８２が中継ローラ７８に対向して非接触となることで中継ローラ７８とは非連動状態となる構成である。
【００７３】
また、半月ローラ８０にはギヤ８４が同軸かつ一体に設けられている。このギヤ８４には、中間ギヤ８６のギヤ部８６Ａが噛合っており、さらに、中間ギヤ８６のギヤ部８６Ｂには、前記第１の実施の形態と同様にクラッチモータ５８のギヤ６０が噛合っている。これにより、クラッチモータ５８の作動によって、クラッチ機構の作動時には半月ローラ８０の平面部８２以外の部位が中継ローラ７８に接触できる位置（連動状態）へ回転移動させることができる構成である。
【００７４】
さらに、半月ローラ８０には、カム８８が同軸かつ一体に設けられている。カム８８の周方向一部には、半月ローラ８０の平面部８２に対応して、非円弧状の平面部８８Ａが形成されており、平面部８２が中継ローラ７８に対向して非接触と成る際にはこの平面部８８Ａも中継ローラ７８に対向して位置するように構成されている。またさらに、カム８８には、保持部材としての板バネ９０が係合している。板バネ９０は、カム８８の周囲に摺接しており、前述の如く半月ローラ８０の平面部８２以外の部位が中継ローラ７８と接触して連動状態となる際には、自身が湾曲してカム８８と摺動し半月ローラ８０の前記連動を阻害することが無く、一方、半月ローラ８０の平面部８２が中継ローラ７８に対向して非接触となる際には、カム８８の平面部８８Ａに面接触してこれを押圧し、当該半月ローラ８０の不要な回転（所謂、オーバーラン）を防止するようになっている。
【００７５】
次に、本第２の実施の形態の作用を説明する。
【００７６】
上記構成の駆動アクチュエータ７０（紙送り装置１０）では、搬送モータ２２によってピックアップローラ１２及び搬送ローラ１４が回転され、これによって、ピックアップローラ１２が収納トレイに収納された紙に接触して当該紙を収納トレイから引き出し、ピックアップローラ１２によって引き出された紙は搬送ローラ１４によって所定方向へ搬送される。
【００７７】
ここで、ピックアップローラ１２が収納トレイ内の紙を引き出す際には、ジョイント４０と搬送モータ２２との間に設けられたクラッチ機構が作動し、ジョイント４０を介してピックアップローラ１２が回転される。すなわち、クラッチ機構の作動時には、図６（Ｂ）に示す如く、クラッチモータ５８によって、半月ローラ８０の平面部８２以外の部位が中継ローラ７８に接触できる位置へ回転される。このため、中継ローラ７８が搬送モータ２２によって回転されると、図６（Ｃ）に示す如く、この中継ローラ７８と連動して半月ローラ８０がジョイント４０と共に回転され、これにより、ピックアップローラ１２が回転して紙を収納トレイから引き出す。
【００７８】
この場合、中継ローラ７８は、スプリング８３によって半月ローラ８０の方向へ付勢された支持アーム７９に支持されているため、中継ローラ７８は半月ローラ８０に加圧されて接触しており、中継ローラ７８と半月ローラ８０同士の摩擦力が増大し、安定して駆動力を伝達することができる。またさらに、中継ローラ７８は、スプリング８３によって半月ローラ８０の方向へ付勢された支持アーム７９に支持されているため、仮に各ローラが摩耗した場合であっても、中継ローラ７８と半月ローラ８０同士が接触できなくなる事態を防止することができる。
【００７９】
またさらに、前述の如く半月ローラ８０が中継ローラ７８に連動して回転する際に、板バネ９０がカム８８の周囲（平面部８８Ａ以外の部位）に摺接するが、板バネ９０自身が湾曲してカム８８と摺動するため、半月ローラ８０の前記連動を阻害することが無い。
【００８０】
ピックアップローラ１２が１回転すると（紙が１枚のみ取り出されると）、クラッチ機構が遮断状態となり、ピックアップローラ１２が停止される。
【００８１】
すなわち、図６（Ｄ）に示す如く、半月ローラ８０の平面部８２が中継ローラ７８に対向して非接触状態となり、半月ローラ８０が中継ローラ７８と非連動状態となる。すなわち、中継ローラ７８から半月ローラ８０（ジョイント４０）への駆動力の伝達が遮断される。これにより、ピックアップローラ１２が１回転だけで停止する。
【００８２】
この場合、半月ローラ８０の平面部８２が中継ローラ７８に対向して非接触状態となる際には、板バネ９０がカム８８の平面部８８Ａに面接触してこれを押圧する。このため、当該半月ローラ８０の不要な回転（所謂、オーバーラン）が防止される。またしかも、中継ローラ７８はスプリング８３によって半月ローラ８０の方向へ付勢されているが、その移動は支持アーム７９がストッパ８５に当接することによって制限されるため、中継ローラ７８が半月ローラ８０の平面部８２に接触することはない。
【００８３】
その後には（紙が搬送ローラ１４によって搬送される際には）、図６（Ａ）に示す如く、クラッチ機構は遮断状態のままであり、搬送モータ２２のジョイント４０（ピックアップローラ１２）への駆動力の伝達が遮断されてピックアップローラ１２が不要に紙を取り出すことがなく、しかも搬送ローラ１４による紙の搬送が阻害されることもない。
【００８４】
このように、クラッチ機構の作動時に半月ローラ８０を回転させるためにクラッチモータ５８を適用した構成であるため、確実に前記クラッチ機構接続状態（半月ローラ８０の平面部８２以外の部位が中継ローラ７８に接触できる位置へ回転させた状態）とすることができ、信頼性が向上する。
【００８５】
また、クラッチ機構の遮断状態（半月ローラ８０の平面部８２が中継ローラ７８に対向する非接触状態）は、半月ローラ８０の平面部８２によって行われる構成であるため、確実に前記クラッチ機構遮断状態（すなわち、初期位置復帰状態）とすることができ、信頼性が向上する。さらに、そのタイミングの設定も、半月ローラ８０の平面部８２の形成範囲等の設定によって容易に行うことができる。
【００８６】
さらに、本第２の実施の形態においては、半月ローラ８０の平面部８２を複数箇所に設ける構成とすれば、ピックアップローラ１２の半回転や１／４回転毎の停止が可能となり、より一層適用の範囲が拡大する。
【００８７】
なお、前記第２の実施の形態においては、半月ローラ８０にカム８８を同軸かつ一体に設けると共にカム８８に対応して板バネ９０を設け、半月ローラ８０の平面部８２が中継ローラ７８に対向して非接触となる際の当該半月ローラ８０の不要な回転を防止する構成としたが、カム８８及び板バネ９０に代えて、他の手段によって半月ローラ８０の不要な回転を防止する構成とすることも可能である。また、当該カム８８及び板バネ９０を省略した構成とすることもできる。
【図面の簡単な説明】
【００８８】
【図１】本発明の第１の実施の形態に係る駆動アクチュエータの構成を示す概略的な平面図である。
【図２】本発明の第１の実施の形態に係る駆動アクチュエータの主要部分の構成を示す概略的な正面図である。
【図３】本発明の第１の実施の形態に係る駆動アクチュエータの全体構成を示す正面図である。
【図４】本発明の第１の実施の形態に係る駆動アクチュエータの全体構成を示す断面図である。
【図５】本発明の第２の実施の形態に係る駆動アクチュエータの構成を示す概略的な平面図である。
【図６】本発明の第２の実施の形態に係る駆動アクチュエータの主要部分の構成を示す概略的な正面図である。
【図７】本発明の第２の実施の形態に係る駆動アクチュエータの全体構成を示す正面図である。
【図８】本発明の第２の実施の形態に係る駆動アクチュエータの全体構成を示す断面図である。
【符号の説明】
【００８９】
１０・・紙送り装置、１２・・ピックアップローラ、１４・・搬送ローラ、２０・・駆動アクチュエータ、２２・・搬送モータ、３６・・駆動軸、４０・・ジョイント、４６・・カム部、４８・・コイルスプリング、５０・・セクタギヤ、５４・・腕部、５８・・クラッチモータ、７０・・駆動アクチュエータ、７８・・中継ローラ、８０・・半月ローラ、８２・・平面部
【図１】
2006176311.tif 000003
【図２】
2006176311.tif 000004
【図３】
2006176311.tif 000005
【図４】
2006176311.tif 000006
【図５】
2006176311.tif 000007
【図６】
2006176311.tif 000008
【図７】
2006176311.tif 000009
【図８】
2006176311.tif 000010